(57)【要約】【課題】動力源になるエンジンは、主に石油系の燃料を燃焼させる為に有害な排気ガスを排出して大気を汚染し、環境悪化の大きな原因になる事や、限られた石油資源を単なる燃料として消費している等の課題があった。【解決手段】円筒状の外筒内側にＳ極及びＮ極の磁石を一定の間隔で配置し、その磁界範囲内の内側にピン固定で回転できる両端にＳ極及びＮ極を持つ可動磁石と、相対する磁石の間で回転する磁力遮蔽転盤が反発及び吸引の磁石の両作用を一定間隔で遮断させる事で可動磁石の先端を交互に上下移動させ、それを距離増幅板や連接棒を介して中央部にある回転クランクに伝え、上下左右等の対向する二箇所の磁石装置の組合せをセットとして上下反復運動をひとつの回転運動に変換する事で、一装置内に複数のセットを配して磁力遮断回転盤を回転させるだけで強力な安定した連続動力を得る事ができる。【選択図】図５
2009254225.tif 000002
【特許請求の範囲】
【請求項１】
円形状の外筒内側にＳ極及びＮ極の永久磁石を交互に一定の間隔で配置し、その対向位置にも同様にＳ極及びＮ極の永久磁石を交互に一定の間隔で配置した磁石付き外筒（１）と、当該磁石の磁界範囲内の内側に、中心部をピン構造支点（６）で固定された回転可能な曲面板状の永久磁石で両端にＳ極及びＮ極を持った可動磁石板（２）と、磁石付き外筒（１）及び可動磁石板（２）との中間位置を回転し、一定の間隔で設けられた開口部の（開口−１〜６）以外は、反発及び吸引の作用を遮断させる働きを持つ磁力遮蔽回転盤（３）を回転させる事で、可動磁石板（２）の両先端が反発及び吸引の作用で回転性の上下移動が生じ、その移動距離を増幅させる距離増幅板（４）や連接棒（７）を介して中央部にある回転クランク（５）に伝え、対面に位置する同様に組み合わされた物との２ヶの可動磁石板（２）の上下反復運動を１つの回転運動として変換し、磁力遮蔽回転盤（３）を１回転させる毎にその開口数に応じた連続した回転動力を得る事を特徴とする円形磁力対向モーター。
【請求項２】
請求項１に記載の円形磁力対向モーターにおいて、磁力遮蔽回転盤（３）が回転する際、開口１〜６を通して向き合う事になる磁石付き外筒（１）と可動磁石板（２）のそれぞれの永久磁石は、一方はＳ極とＮ極又はＮ極とＳ極になるように配置して吸引力を発生させ、その対向位置にある磁石付き外筒（１）と可動磁石板（２）のそれぞれの相対する永久磁石は、逆にＳ極とＳ極又はＮ極とＮ極になるように配置して反発力を発生させ、磁石の作用力は距離が離れるにしたがって急激に低下する欠点を持つが、吸引及び反発の両作用で得られる上下反復運動を回転クランク（５）へ一緒に働く回転運動に変換出来る様に、対向位置に配する事で必要な回転力を安定して確保し必要な動力を得る事を特徴とする円形磁力対向モーター。
【請求項３】
請求項１及び２に記載の円形磁力対向モーターおいて、構造及び仕組みが単純である為に、より大きな動力を得る場合は、磁石付き外筒（１）の径や奥行きの長さ、永久磁石の大きさ及び設置数、可動磁石板（２）のサイズや数、磁力遮蔽回転盤（３）サイズ及び開口の数、回転クランク（５）の数等を立体的に重複しない形で大幅に増やす事で可能になり、又より小さな力で済む場合は設置する各部材数を減らす事で装置が薄くて小型の物が作り易い事や、装置が磁気を動力としている事と形状が円形である為に、縦、横、斜め等、どの方向で設置しても同じ効果を発揮できる事を特徴とする円形磁力対向モーター。
【発明の詳細な説明】
【技術分野】
【０００１】  本発明は磁石の磁力を利用した動力発生装置に関するものである。
【背景技術】
【０００２】  従来、動力発生装置と言えば自動車などに使用されているレシプロエンジン等がある。これらは複数のシリンダーで燃焼室内の燃料爆発力にて発生するピストンの往復運動をクランクシャフトなどを介してタイヤへの回転力にしている。又、永久磁石などを使用した動力発生装置の発明の多くは装置構造が複雑で製品化に困難が伴い、さらにその装置に必要な動力以上の稼動動力を磁力だけで常時発生させる事が難しいのが一般的である。
【発明の開示】
【発明が解決しようとする課題】
【０００３】  動力源になるエンジンは主に石油系の燃料を燃焼させる為に有害な排気ガスを排出し大気を汚染して環境悪化の大きな原因になる事や、限られた化石燃料資源を単なる燃料として消費している等の課題があった。
本発明は、これらの問題点を解決するためになされたものである。
【課題を解決するための手段】
【０００４】  本発明の円形磁力対向モーターは、上記問題点を解決するために案出されたものである。請求項１の円形磁力対向モーターは、円形状の外筒内側にＳ極及びＮ極の永久磁石を交互に一定の間隔で配置し、その対向位置にも同様にＳ極及びＮ極の永久磁石を交互に一定の間隔で配置した磁石付き外筒（１）と、当該磁石の磁界範囲内の内側に、中心部をピン構造支点（６）で固定された回転可能な曲面板状の永久磁石で両端にＳ極及びＮ極を持った可動磁石板（２）と、磁石付き外筒（１）及び可動磁石板（２）との中間位置を回転し、一定の間隔で設けられた開口部の（開口−１〜６）以外は、反発及び吸引の作用を遮断させる働きを持つ磁力遮蔽回転盤（３）を回転させる事で、可動磁石板（２）の両先端が反発及び吸引の作用で回転性の上下移動が生じ、その移動距離を増幅させる距離増幅板（４）や連接棒（７）を介して中央部にある回転クランク（５）に伝え、対面に位置する同様に組み合わされた物との２ヶの可動磁石板（２）の上下反復運動を１つの回転運動として変換し、磁力遮蔽回転盤（３）を１回転させる毎にその開口数に応じた連続した回転動力を得る事を特徴とする。【０００５】  請求項２の円形磁力対向モーターは、請求項１に記載の円形磁力対向モーターにおいて、磁力遮蔽回転盤（３）が回転する際、開口１〜６を通して向き合う事になる磁石付き外筒（１）と可動磁石板（２）のそれぞれの永久磁石は、一方はＳ極とＮ極又はＮ極とＳ極になるように配置して吸引力を発生させ、その対向位置にある磁石付き外筒（１）と可動磁石板（２）のそれぞれの相対する永久磁石は、逆にＳ極とＳ極又はＮ極とＮ極になるように配置して反発力を発生させ、磁石の作用力は距離が離れるにしたがって急激に低下する欠点を持つが、吸引及び反発の両作用で得られる上下反復運動を回転クランク（５）へ一緒に働く回転運動に変換出来る様に、対向位置に配する事で必要な回転力を安定して確保し必要な動力を得る事を特徴をする。【０００６】  請求項３の円形磁力対向モーターは、請求項１及び２に記載の円形磁力対向モーターおいて、構造及び仕組みが単純である為に、より大きな動力を得る場合は、磁石付き外筒（１）の径や奥行きの長さ、永久磁石の大きさ及び設置数、可動磁石板（２）のサイズや数、磁力遮蔽回転盤（３）サイズ及び開口の数、回転クランク（５）の数等を立体的に重複しない形で大幅に増やす事で可能になり、又、より小さな力で済む場合は設置する各部材数を減らす事で装置が薄くて小型の物が作り易い事や、装置が磁気を動力としている事と形状が円形である為に、縦、横、斜め等、どの方向で設置しても同じ効果を発揮できる事を特徴とする。
【発明の効果】
【０００７】  本発明は以下に記載の様な効果を奏する。
（イ）本発明の円形磁力対向モーターは、使用する磁石の効果が劣化しなければ、他からのエネルギーを必要としないで、いつまでも磁力の反発力と吸引力のエネルギーを回転運動としての動力に変換して取り出すことが出来る。
（ロ）本発明の円形磁力対向モーターは、構造の仕組みが簡単であり使用部材も少なくて済む事から、装置の小型化や大型化が容易であると共に保守管理も簡単である。
（ハ）本発明の円形磁力対向モーターは、力を伝えるクランクを回転させる際、磁石の反発力と吸引力の両方の作用を上下又は左右等の対向する位置にある磁石の組合せを一対にして一緒の力として働く為に、価格の安い磁力の弱い商品を組み込んだ場合でも安定したエネルギーを取り出すことが出来る。
（二）本発明の円形磁力対向モーターは、エネルギー発生の為には磁力遮蔽盤の回転だけで済み、回転に際してはどの部材とも接触しないで回っている為、必要とするエネルギーが少なく、図１で紹介の場合では磁力遮蔽盤が１回転する間に回転クランクは６回転する事になる。
（ホ）本発明の円形磁力対向モーターは、内蔵する稼動装置を一対にした場合は装置の厚みを極端に薄くできる。
（ヘ）本発明の円形磁力対向モーターは、内蔵する稼動装置を多く組み合わせていけば装置の厚みが増すが発生できるエネルギーはそれに応じて増やす事ができる。
（ト）本発明の円形磁力対向モーターは、発生する力の伝達方法が技術的に完成された従来のレシプロエンジンの構造と同じであり、実用製品への転用が容易である。
（チ）本発明の円形磁力対向モーターは、車などの様に出力を常時変化させる必要がある場合は、磁力遮蔽回転盤の回転数を調整する事だけで動力制御が可能であり複雑な動力制御機構は大幅に減らす事ができる。
（リ）本発明の円形磁力対向モーターは、装置が磁気を動力としている事と形状が円形である為に、縦、横、斜め等、どの方向で設置しても同じ効果を発揮できる
【発明を実施するための最良の形態】
【０００８】  以下、本発明の実施の形態について説明する。
（イ）図１は、磁力遮蔽回転盤（３）の開口−１が磁石付き外筒（１）の上部Ｎ極と可動磁石板（２）のＳ極の位置に、磁力遮蔽回転盤（３）の開口−４が磁石付き外筒（１）の下部Ｎ極と可動磁石板（２）のＮ極の位置になった状態を示した平面図である。
上部に位置する磁石はＮ極とＳ極で吸引力が生じて距離増幅板（４）の連接棒（７）を引き上げるが、過回転防止ストッパー（８）により磁石同士は密着させずに磁力遮蔽回転盤（３）が回転できる間隔を保つ。一例として、長さを１対２に配分してピン構造支点（６）で固定された距離増幅板（４）の反対側は、力が半減するが２倍の移動距離で回転クランク（５）を押し下げる回転力になる。同様に下部に位置する磁石はＮ極とＮ極で反発力が生じて距離増幅板（４）の連接棒（７）を押し上げるが、過回転防止ストッパー（８）により磁石同士は密着させずに磁力遮蔽回転盤（３）が回転できる間隔を保つ。一例として、長さを１対２に配分してピン構造支点（６）で固定された距離増幅板（４）の反対側は、力が半減するが２倍の移動距離で回転クランク（５）を押し下げる回転力になる。上部に位置する磁石と下部に位置する磁石の両方で発生した磁力の反発力及び吸引力は、中央にある回転クランク（５）に同じ方向への一緒の回転力として集約できる。
（ロ）図２は、図１の断面図である。
上部に位置する磁石のＮ極とＳ極で生じた吸引力と下部に位置する磁石のＮ極とＮ極で生じた反発力がそれぞれの距離増幅板（４）及び連接棒（７）を通して回転クランク（５）の、円形の中心から外れた所にある同じ位置の回転クランク連結シャフト（９）に繋げて上下させる事で回転運動に変換する。この回転運動は動力伝導軸（１２）へ伝わりモーターとして利用すると共に歯車を介して磁力遮蔽回転盤（３）の回転動力としても使用する。
（ハ）図３は、図１の状態から磁力遮蔽回転盤（３）の開口−１が磁石付き外筒（１）の上部Ｓ極の位置まで、及び磁力遮蔽回転盤（３）の開口−４が磁石付き外筒（１）の下部Ｓ極の位置に左回転で移動した状態を示した平面図である。
上部に位置する磁石はＳ極とＮ極で吸引力が生じて距離増幅板（４）の連接棒（７）を引き下げるが、過回転防止ストッパー（８）により磁石同士は密着させずに磁力遮蔽回転盤（３）が回転できる間隔を保つ。長さを１対２に配分してピン構造支点（６）で固定された距離増幅板（４）の反対側は、力が半減するが２倍の移動距離で回転クランク（５）を押し上げる回転力になる。同様に下部に位置する磁石はＳ極とＳ極で反発力が生じて距離増幅板（４）の連接棒（７）を押し下げるが、過回転防止ストッパー（８）により磁石同士は密着させずに磁力遮蔽回転盤（３）が回転できる間隔を保つ。長さを１対２に配分してピン構造支点（６）で固定された距離増幅板（４）の反対側は、力が半減するが２倍の移動距離で回転クランク（５）を押し上げる回転力になる。上部に位置する磁石と下部に位置する磁石の両方で発生した磁力の反発力及び吸引力は、中央にある回転クランク（５）に同じ方向への一緒の回転力として集約できる。図１から図３の状態に磁力遮蔽回転盤（３）が回転する事で回転クランク（５）は１回転する事になり磁力遮蔽回転盤（３）の開口が６ヶ所ある場合では磁力遮蔽回転盤（３）が１回転する事で回転クランク（５）は６回転する事になる。
（二）図４は、図３の断面図である。
上部に位置する磁石のＳ極とＮ極で生じた吸引力と下部に位置する磁石のＳ極とＳ極で生じた反発力がそれぞれの距離増幅板（４）及び連接棒（７）を通して回転クランク（５）の円形の中心から外れた所にある同じ位置の回転クランク連結シャフト（９）に繋げて上下させる事で回転運動に変換する。この回転運動は動力伝導軸へ伝わりモーターとして利用すると共に歯車を介して磁力遮蔽回転盤（３）の回転動力としても使用する。
（ホ）図５は、図１で示した動力発生装置を３組に増やし、それらを角度を変えて全体に組み込んで配置した状態の平面図である。
磁力遮蔽回転盤（３）の開口１から６までの各位置に当る場所に磁石付き外筒（１）と可動磁石板（２）の各磁石を配置して（イ）で説明した働きの強さを３倍に増やして回転クランク（５）を回転し、動力伝導軸（１２）へ伝わりモーターとして利用できる。尚左斜め上半分の磁石配置は吸引力発生範囲になり、右斜め下半分の磁石配置は反発力発生範囲となる。
（ヘ）図６は、図５の断面図である。
３組に増やして角度を変えて全体に組み込んで配置した動力発生装置は、それぞれに関連した磁石の作用で回転クランク（５）を回転させて動力伝導軸（１２）に伝え、必要なエネルギーを得る事ができる。図５及び６では３組であるが、組数を増やしてより大きな動力を得る場合は、装置の各サイズや長さを増す事で機能的には幾らでも可能である。
【実施例１】
【０００９】図５に示すように、平面的に均等に配置された３組の動力発生装置は、磁力遮蔽回転盤（３）の回転により開口１から６までの各位置に当る左斜め上半分の磁石配置では吸引力が発生し、右斜め下半分の磁石配置では反発力が発生する。磁力遮蔽回転盤（３）が少し回転移動して各可動磁石板（２）の反対の磁石位置にかかると、一旦遮蔽された磁石の働きが再び作用して吸引力及び反発力が発生する。これらの発生した力で各可動磁石板（２）及び連接棒（７）の反復上下運動を起し、距離増幅板（４）で移動距離を増幅させ、連接棒（７）を介して中央部にある回転クランク（５）に伝え回転運動に変換する。平面的に違った位置に配置した動力発生装置はそれぞれが違った角度から回転クランク連結シャフト（９）を廻すので配置数が多いほど安定した大きな動力が得られる。図５では磁力遮蔽回転盤（３）の開口が６ヶ所である為磁力遮蔽回転盤（３）が１回転の間に動力伝導軸（１２）は６回転するが、開口数を増やす事で回転数を増やす事が可能である。これは車等で使用しているレシプロエンジンの中のピストンが燃料の吸入、圧縮、燃焼、排気に合せての往復運動をクランクを介して回転運動に変換しているのと同じ事であり、すでに完成された動力変換技術を永久磁石での円形磁力対向モーターに利用できる事になる。【００１０】図６の断面図で示すように、動力発生装置を増やして組み込む場合はモーター装置全体の長さが増えてくるが、各部材に付けられる磁石部分の長さも増やす事ができるので各動力発生装置の吸引力及び反発力も増加してより大きな動力を得る事が可能である。磁力遮蔽回転盤（３）を回転させる動力は、動力伝導軸歯車（１１）の回転は回転盤用動力伝達歯車（１０）を介して調整し適度な回転数で行う。磁力遮蔽回転盤（３）は何にも接触する事無く磁石付き外筒（１）と可動磁石板（２）との磁石の間を廻っているだけなので抵抗が少なく、発生する動力と比較しても必要とする動力は少なくて済む。
【図面の簡単な説明】
【００１０】
【図１】動力発生装置を一組設置した第一作用状態の平面図である。
【図２】図１の断面図である。
【図３】動力発生装置を一組設置した第二作用状態の平面図である。
【図４】図３の断面図である。
【図５】動力発生装置を三組設置した第一作用状態の平面図である。
【図６】図５の断面図である。
【符号の説明】
【００１１】  １      磁石付き外筒
１−Ｎ  外筒固定磁石Ｎ極
１−Ｓ  外筒固定磁石Ｓ極
２      可動磁石板
２−Ｎ  可動磁石板Ｎ極
２−Ｓ  可動磁石板Ｓ極
３      磁力遮蔽回転盤
４      距離増幅板
５      回転クランク
６      ピン構造支点
７      連接棒
８      過回転防止ストッパー
９      回転クランク連結シャフト
１０      回転盤用歯車
１１      動力伝導歯車
１２      動力伝導軸
【図１】
2009254225.tif 000003
【図２】
2009254225.tif 000004
【図３】
2009254225.tif 000005
【図４】
2009254225.tif 000006
【図５】
2009254225.tif 000007
【図６】
2009254225.tif 000008